(57)【要約】【課題】専用の製造装置を必要とせず、従来からのシール製造装置を用いて簡単に製造可能で、需要に応じてタイムリーな供給を可能とし、製造単価を低く抑えることができる応募券用シールおよび応募券用シール貼付け方法を提供することを課題とする。【解決手段】応募券１９を構成することになる応募券本体部１３に同じシール基材で裏打ちをすることによりその糊面層を不活性化することに着目し、互いの間をあけて位置している第１の貼付け部１１および第２の貼付け部１２にそれぞれ第１の切取り線１６および第２の切取り線１７を介して隣接しているとともに応募券１９を形成するための応募券本体部１３と、応募券本体部１３と同一形状および同一面積を有するとともに、第１の切取り線１６および第２の切取り線１７とは異なる位置に設けた折返し線１８を介して応募券本体部１３に隣接している裏打ち用突出部１４と、を有することを特徴とする。【選択図】図１
2007206213.tif 000002
【特許請求の範囲】
【請求項１】
所定の商品あるいはその包装容器に貼り付け可能であるとともに、応募券を形成する応募券用シールであって、
前記商品あるいは前記包装容器に貼り付け可能であるとともに、互いの間をあけて位置している第１の貼付け部および第２の貼付け部と、
これら第１の貼付け部および第２の貼付け部の間に位置してこれら第１の貼付け部および第２の貼付け部にそれぞれ第１の切取り線および第２の切取り線を介して隣接しているとともに、前記応募券を形成するための応募券本体部と、
この応募券本体部と同一形状および同一面積を有するとともに、前記第１の切取り線および前記第２の切取り線とは異なる位置に設けた折返し線を介してこの応募券本体部に隣接している裏打ち用突出部と、
を有することを特徴とする応募券用シール。
【請求項２】
前記裏打ち用突出部および前記応募券本体部、さらに前記第１の貼付け部および前記第２の貼付け部のそれぞれの裏面に糊面層を形成していることを特徴とする請求項１記載の応募券用シール。
【請求項３】
前記裏打ち用突出部は、前記折返し線においてこれを折り返すことにより、前記応募券本体部の裏面側に裏打ちするように貼り合わせ可能であることを特徴とする請求項１記載の応募券用シール。
【請求項４】
前記裏打ち用突出部は、前記折返し線に対して前記応募券本体部と線対称に隣接していることを特徴とする請求項１記載の応募券用シール。
【請求項５】
前記応募券本体部は、前記第１の切取り線および前記第２の切取り線において前記第１の貼付け部および第２の貼付け部からこれを切り取り可能であることを特徴とする請求項１記載の応募券用シール。
【請求項６】
所定の商品あるいはその包装容器に応募券を貼り付けるための応募券用シール貼付け方法であって、
前記商品あるいは前記包装容器に貼り付け可能であるとともに、互いの間をあけて位置している第１の貼付け部および第２の貼付け部と、
これら第１の貼付け部および第２の貼付け部の間に位置してこれら第１の貼付け部および第２の貼付け部にそれぞれ第１の切取り線および第２の切取り線を介して隣接しているとともに、前記応募券を形成するための応募券本体部と、
この応募券本体部と同一形状および同一面積を有するとともに、前記第１の切取り線および前記第２の切取り線とは異なる位置に設けた折返し線を介してこの応募券本体部に隣接している裏打ち用突出部と、
を形成し、かつ、
前記裏打ち用突出部および前記応募券本体部、さらに前記第１の貼付け部および前記第２の貼付け部のそれぞれの裏面に糊面層を塗布して応募券用シールを形成するとともに、
前記裏打ち用突出部は、前記折返し線においてこれを折り返すことにより、前記応募券本体部の裏面側に裏打ちするように貼り合わせた状態で、前記第１の貼付け部および前記第２の貼付け部を前記商品あるいは前記包装容器に貼り付けることを特徴とする応募券用シール貼付け方法。
【発明の詳細な説明】
【技術分野】
【０００１】
本発明は応募券用シールおよび応募券用シール貼付け方法にかかるもので、とくに製造コストを低く抑えることができる応募券用シールおよび応募券用シール貼付け方法に関するものである。
【背景技術】
【０００２】
従来から、商品の販売促進のために、商品あるいはその包装容器にキャンペーン用その他の目的の応募券を取り付けておき、商品の購入客に当該応募券を販売元ないし製造元に送付してもらうということが行われていた。
図９にもとづき概説する。
図９は、従来の応募券用シール１を商品Ｍに貼り付けた状態を示す斜視図であって、応募券用シール１は、第１の貼付け部２および第２の貼付け部３を有し、第１の貼付け部２および第２の貼付け部３の間に位置して応募券４を形成している。
第１の貼付け部２および第２の貼付け部３と応募券４との間は、切り取り可能なミシン目などによる第１の切取り線５および第２の切取り線６としてあって、商品Ｍを購入した購入者は、切取り線５の部分から応募券４を第１の貼付け部２および第２の貼付け部３から切り離し、封筒などに入れて送付することになる。
【０００３】
第１の貼付け部２および第２の貼付け部３の裏面には、第１の糊面層７および第２の糊面層８を形成することにより商品Ｍなどに貼り付け可能とするとともに、応募券４の裏面には、商品Ｍに貼り付かないように糊面層を設けていない。
しかしながら、応募券用シール１の裏面において、第１の糊面層７および第２の糊面層８と応募券４との部分で糊面層を交互に形成するように筋状に糊面層を形成した、いわゆる筋糊原反とすることは製造工程が複雑となり、応募券用シール１の原反自体が高価なものとなってしまうという問題がある。
さらに、筋糊原反の製造に手間取るため、需要に応じて応募券用シール１としてのタイムリーな供給が困難であるという問題がある。
また、応募券用シール１の裏面一面に糊面層を形成したのち、応募券４の裏面部分にのみ、いわゆる糊殺し剤を塗布する手法もあるが、この手法では、その生産にあたって専用設備が必要であるとともに、段取り時間を多く必要とし、生産ロスが多く、生産効率が低くて、同じく製造コストが高く、応募券用シール１の単価が高くならざるを得ないという問題がある。
【０００４】
【特許文献１】特開２００２−５９６７６号公報
【発明の開示】
【発明が解決しようとする課題】
【０００５】
本発明は以上のような諸問題にかんがみなされたもので、製造単価を低く抑えることができる応募券用シールおよび応募券用シール貼付け方法を提供することを課題とする。
【０００６】
また本発明は、需要に応じてタイムリーな供給を可能とする納期が短い応募券用シールおよび応募券用シール貼付け方法を提供することを課題とする。
【０００７】
また本発明は、専用の製造装置を必要とせず、従来からのシール製造装置を用いて簡単に製造可能な応募券用シールおよび応募券用シール貼付け方法を提供することを課題とする。
【０００８】
また本発明は、簡単な操作で応募券を構成し、商品ないしその包装容器に確実に貼り付けるとともに、購入者も容易に応募券として送付可能な応募券用シールおよび応募券用シール貼付け方法を提供することを課題とする。
【課題を解決するための手段】
【０００９】
すなわち本発明は、応募券を構成することになる応募券本体部に同じシール基材で裏打ちをすることによりその糊面層を不活性化することに着目したもので、第一の発明は、所定の商品あるいはその包装容器に貼り付け可能であるとともに、応募券を形成する応募券用シールであって、上記商品あるいは上記包装容器に貼り付け可能であるとともに、互いの間をあけて位置している第１の貼付け部および第２の貼付け部と、これら第１の貼付け部および第２の貼付け部の間に位置してこれら第１の貼付け部および第２の貼付け部にそれぞれ第１の切取り線および第２の切取り線を介して隣接しているとともに、上記応募券を形成するための応募券本体部と、この応募券本体部と同一形状および同一面積を有するとともに、上記第１の切取り線および上記第２の切取り線とは異なる位置に設けた折返し線を介してこの応募券本体部に隣接している裏打ち用突出部と、を有することを特徴とする応募券用シールである。
【００１０】
上記裏打ち用突出部および上記応募券本体部、さらに上記第１の貼付け部および上記第２の貼付け部のそれぞれの裏面に糊面層を形成していることができる。
【００１１】
上記裏打ち用突出部は、上記折返し線においてこれを折り返すことにより、上記応募券本体部の裏面側に裏打ちするように貼り合わせ可能とすることができる。
【００１２】
上記裏打ち用突出部は、上記折返し線に対して上記応募券本体部と線対称に隣接していることができる。
【００１３】
上記応募券本体部は、上記第１の切取り線および上記第２の切取り線において上記第１の貼付け部および第２の貼付け部からこれを切り取り可能とすることができる。
【００１４】
第二の発明は、所定の商品あるいはその包装容器に応募券を貼り付けるための応募券用シール貼付け方法であって、上記商品あるいは上記包装容器に貼り付け可能であるとともに、互いの間をあけて位置している第１の貼付け部および第２の貼付け部と、これら第１の貼付け部および第２の貼付け部の間に位置してこれら第１の貼付け部および第２の貼付け部にそれぞれ第１の切取り線および第２の切取り線を介して隣接しているとともに、上記応募券を形成するための応募券本体部と、この応募券本体部と同一形状および同一面積を有するとともに、上記第１の切取り線および上記第２の切取り線とは異なる位置に設けた折返し線を介してこの応募券本体部に隣接している裏打ち用突出部と、を形成し、かつ、上記裏打ち用突出部および上記応募券本体部、さらに上記第１の貼付け部および上記第２の貼付け部のそれぞれの裏面に糊面層を塗布して応募券用シールを形成するとともに、上記裏打ち用突出部は、上記折返し線においてこれを折り返すことにより、上記応募券本体部の裏面側に裏打ちするように貼り合わせた状態で、上記第１の貼付け部および上記第２の貼付け部を上記商品あるいは上記包装容器に貼り付けることを特徴とする応募券用シール貼付け方法である。
【００１５】
上記応募券本体部および上記裏打ち用突出部は、互いに同一形状および同一面積を有するものであれば、それぞれの形状として四角形、三角形、あるいは台形など、任意の形状にこれを形成可能であり、これらの形状に合わせて、上記第１の切取り線および上記第２の切取り線を形成することができる。
【００１６】
さらに、上記応募券本体部および裏打ち用突出部は、互いに同一形状および同一面積を有するものであれば、裏打ち突出部をたとえば左右に二分割するなどして形成することもできる。
【発明の効果】
【００１７】
本発明による応募券用シールおよび応募券用シール貼付け方法においては、第１の貼付け部および第２の貼付け部に挟まれた応募券本体部に裏打ち用突出部を折り返して裏打ちをするとともに、この表裏貼り合わせ部分（応募券）を切取り線によって第１の貼付け部および第２の貼付け部から切り離し可能としたので、従来どおりの表示ないし貼付け形態および利用形態を取ることができるとともに、当該応募券用シール自体の製造において、糊殺し、あるいは筋糊原反などを使用することなく、すなわち、シール基材の裏面全体に均一に糊面層を形成可能であって、製造コストを低く抑えるとともに、タイムリーな供給が可能である。
【００１８】
とくに第一の発明によれば、応募券本体部に隣接しているとともに応募券本体部と同一形状および同一面積を有する裏打ち用突出部を折返し線において折り返すことができるようにしたので、応募券本体部の裏面側におけるその糊面層をこの裏打ち用突出部が被覆することになり、糊面層を裏面側に露出していない、すなわち、その取扱いに支障がない応募券とすることができる。
【００１９】
とくに第二の発明によれば、応募券本体部の糊面層を裏打ち用突出部が被覆ないしは目隠しした状態で、商品やその包装容器に貼り付けることができるようにしたので、製造工程における糊面層塗布工程は従来と全く同様でありながら、応募件本体部の裏面が商品やその包装容器に貼り付かない状態で第１の貼付け部および第２の貼付け部により応募券用シールを貼り付けることができる。
【発明を実施するための最良の形態】
【００２０】
本発明は、応募券を構成することになる応募券本体部に裏打ち用突出部を折り返して裏打ちをすることによりその糊面層を不活性化することとしたので、当該応募券用シール自体の製造において、その裏面には、従来どおり均一に糊面層を形成すればよく、製造コストを低く抑えるとともに従来と同様の利用形態を採ることができる応募券用シールおよび応募券用シール貼付け方法を実現した。
【実施例】
【００２１】
つぎに本発明の第１の実施例による応募券用シール１０および応募券用シール貼付け方法を図１ないし図７にもとづき説明する。
図１は、応募券用シール１０の平面図、図２は、図１のＩＩ−ＩＩ線断面図、図３は、図１のＩＩＩ−ＩＩＩ線断面図である。
応募券用シール１０は、第１の貼付け部１１および第２の貼付け部１２と、応募券本体部１３と、裏打ち用突出部１４と、を有するとともに、帯状の台紙１５上にこれを仮着してある。
【００２２】
第１の貼付け部１１および第２の貼付け部１２は、好ましくは同じ大きさの領域を構成するもので、たとえば長方形などを呈し、商品Ｍ（あるいはその包装容器）に貼り付け可能であるとともに、互いの間を応募券本体部１３の幅分だけあけて位置している。
【００２３】
応募券本体部１３は、これら第１の貼付け部１１および第２の貼付け部１２の間に位置した正方形あるいは長方形など四角形状を呈し、これら第１の貼付け部１１および第２の貼付け部１２にそれぞれミシン目などによる第１の切取り線１６および第２の切取り線１７を介して隣接している。
すなわち、応募券本体部１３は、第１の切取り線１６および第２の切取り線１７において第１の貼付け部１１および第２の貼付け部１２からこれを切り取り可能である。
【００２４】
裏打ち用突出部１４は、応募券本体部１３と同一形状および同一面積を有するとともに、第１の切取り線１６および第２の切取り線１７とは異なる位置に設けた折返し線１８（図１中、一点鎖線）を介して応募券本体部１３に線対称に隣接しているものであり、応募券本体部１３とともに応募券１９（図５および図６において後述）を形成することになる。
すなわち、裏打ち用突出部１４は、折返し線１８においてこれを折り返すことにより、応募券本体部１４の裏面側に裏打ちするように、すなわち、応募券本体部１４に一致するように重ね合わせた状態で貼り合わせ可能である。
【００２５】
さらに、第１の貼付け部１１および第２の貼付け部１２、応募券本体部１３および裏打ち用突出部１４のそれぞれの裏面に均一に糊面層２０を形成してあるが、台紙１５には、その表面側に剥離剤層を塗布してあって、台紙１５から応募券用シール１０を剥離可能としている。
【００２６】
上述した第１の貼付け部１１および第２の貼付け部１２、応募券本体部１３および裏打ち用突出部１４には、商品販売促進用に各種の印刷を行うものである。
たとえば、応募券１９の表面に位置することになる応募券本体部１３には、「・・・キャンペーン、応募券」と、さらに第１の切取り線１６あるいは第２の切取り線１７の内側領域内に「この線から切り取って下さい。」と、あらかじめ印刷するとともに、第１の貼付け部１１および第２の貼付け部１２には、「・・・キャンペーン中、切り取った応募券をレジまでお持ち下さい。もれなく、素敵な商品が当たります。」あるいは「切り取った応募券を・・・（株）までお送り下さい。」など、とあらかじめ印刷しておくことができる。
裏打ち用突出部１４にも、当該応募券用シール１０を貼り付けた商品名をあらかじめ印刷して販売管理に役立てたり、任意の商品販売促進用の印刷を施すことができる。
【００２７】
こうした構成の応募券用シール１０（応募券１９）を所定の商品Ｍ（あるいはその包装容器）に貼り付ける方法を説明する。
図４は、台紙１５から応募券用シール１０を剥離した状態を示す斜視図、図５は、応募券１９を形成した状態の応募券用シール１０の平面図、図６は、図５のＶＩ−ＶＩ線断面図である。
図４に示すように、裏打ち用突出部１４を折返し線１８において矢印のように折り返すことにより、応募券本体部１３の裏面側に裏打ちするように貼り合わせた状態で、図５に示すように、第１の貼付け部１１および第２の貼付け部１２を商品Ｍ（あるいはその包装容器、図中仮想線）に貼り付ければよい。
【００２８】
図６に示すように、応募券１９自体は商品Ｍに接触している面は、その裏側に貼り合わされた裏打ち用突出部１４の表面側であり、糊面側（糊面層２０）ではないので、応募券１９が商品Ｍに貼り付いてしまうことがないとともに、その取扱いに支障はなく、購入者は、図５の矢印に示すように、表裏の応募券本体部１３および裏打ち用突出部１４からなる応募券１９を第１の切取り線１６および第２の切取り線１７の部分で第１の貼付け部１１および第２の貼付け部１２から切り離し、直接レジに持参するか、封筒などに入れて送付応募することができる。
【００２９】
図７は、応募券用シール１０を製造する際の帯状原反２１の平面図であって、正方形あるいは長方形など四角形状の応募券本体部１３を中心部に有する応募券用シール１０それぞれを天地を順次逆にして互い違いに組み合わせれば（図中、各応募券用シール１０に斜線を入れて判別しやすくしている）、一定幅（応募券本体部１３および裏打ち用突出部１４を合わせた幅）の一本の帯状原反２１とし、無駄なトリミング部分を極力少なくして製造可能である。
とくに、応募券用シール１０の形成にあたっては、それぞれの応募券用シール１０に切り分けるとともに第１の切取り線１６および第２の切取り線１７を形成するためのシール用の刃型（図示せず）を作成すればよく、従来のシール製造装置ないし糊塗布装置をそのまま使用可能であって、製造コストの上昇を最小限に抑えることができる。
【００３０】
なお本発明においては、応募券本体部および裏打ち用突出部は、互いに同一形状および同一面積を有するものであれば、それぞれの形状として四角形、三角形、あるいは台形など、任意の形状にこれを形成可能であり、これらの形状に合わせて、第１の切取り線および第２の切取り線を形成することができる。
とくに、応募券本体部および裏打ち用突出部が折返し線に対して互いに線対称の位置にあれば、四角形以外の、三角形あるいは台形など任意の形状であっても、第１の貼付け部および第２の貼付け部をそれらの形状に合わせて選択形成するとともに、図７に示すような天地を順次逆にした組み合わせ配置により、一定幅の帯状原反を製造することができる。
【００３１】
さらに、応募券本体部および裏打ち用突出部は、互いに同一形状および同一面積を有するものであれば、裏打ち突出部を所定数の領域に分割して形成することもできる。
たとえば図８は、本発明の第２の実施例による応募券用シール３０の平面図であって、応募券用シール３０においては、たとえば正方形状の応募券本体部１３に隣接する裏打ち用突出部３１として、これを均等に二分割し、同じ長方形状および同じ面積の第１の裏打ち用突出部３１Ａおよび第２の裏打ち用突出部３１Ｂとして第１の折返し線３２および第２の折返し線３３を介して応募券本体部１３に隣接するように配置形成してある。
したがって、第１の折返し線３２および第２の折返し線３３で第１の裏打ち用突出部３１Ａおよび第２の裏打ち用突出部３１Ｂをそれぞれ応募券本体１３の裏側に折り返して、第１の裏打ち用突出部３１Ａおよび第２の裏打ち用突出部３１Ｂを応募券本体部１３の裏面において合わせると、裏打ち用突出部３１全体として応募券本体部１３と同一形状および同一面積になるようにしてある。
【００３２】
こうした構成の応募券用シール３０においても、上述の応募券用シール１０（第１の実施例、図１）と同様に、台紙１５から剥がした応募券用シール３０について、第１の裏打ち用突出部３１Ａおよび第２の裏打ち用突出部３１Ｂを第１の折返し線３２および第２の折返し線３３で折り返して応募券本体部１３に裏打ちし、応募券３４を構成することができる。
【図面の簡単な説明】
【００３３】
【図１】本発明の第１の実施例による応募券用シール１０の平面図である。
【図２】同、図１のＩＩ−ＩＩ線断面図である。
【図３】同、図１のＩＩＩ−ＩＩＩ線断面図である。
【図４】同、台紙１５から応募券用シール１０を剥離した状態を示す斜視図である。
【図５】同、応募券１９を形成した状態の応募券用シール１０の平面図である。
【図６】同、図５のＶＩ−ＶＩ線断面図である。
【図７】同、応募券用シール１０を製造する際の帯状原反２１の平面図である。
【図８】本発明の第２の実施例による応募券用シール３０の平面図である。
【図９】従来の応募券用シール１を商品Ｍに貼り付けた状態を示す斜視図である。
【符号の説明】
【００３４】
１  応募券用シール（従来、図９）
２  第１の貼付け部
３  第２の貼付け部
４  応募券
５  第１の切取り線
６  第２の切取り線
７  第１の糊面層
８  第２の糊面層
１０  応募券用シール（第１の実施例、図１）
１１  第１の貼付け部
１２  第２の貼付け部
１３  応募券本体部
１４  裏打ち用突出部
１５  帯状の台紙
１６  第１の切取り線
１７  第２の切取り線
１８  折返し線
１９  応募券
２０  糊面層
２１  帯状原反（図７）
３０  応募券用シール（第２の実施例、図８）
３１  裏打ち用突出部
３１Ａ  裏打ち用突出部３１の第１の裏打ち用突出部
３１Ｂ  裏打ち用突出部３１の第２の裏打ち用突出部
３２  第１の折返し線
３３  第２の折返し線
３４  応募券
Ｍ    商品
【図１】
2007206213.tif 000003
【図２】
2007206213.tif 000004
【図３】
2007206213.tif 000005
【図４】
2007206213.tif 000006
【図５】
2007206213.tif 000007
【図６】
2007206213.tif 000008
【図７】
2007206213.tif 000009
【図８】
2007206213.tif 000010
【図９】
2007206213.tif 000011